(57)【要約】【課題】ジョイントテープを用いない工法によって、動きのある下地に追従し、タイルの剥離を防止するタイルおよび接着工法を提供する。【解決手段】タイルの裏面の長手方向の長さに短手方向の長さを乗じた平面積に対して、裏足の底面となる平坦面の面積の割合が２０％以下であって、裏足の高さが０．３ｍｍ〜３ｍｍであることを特徴とする接着剤張り用タイル及び硬化後のＪＩＳ  Ｋ  ７１１３に規定するダンベル状２号形での伸び率が３０％以上である弾性接着剤を使用する。【選択図】図２
2005113660.tif 000002
【特許請求の範囲】
【請求項１】
（Ａ）タイルの裏面の長手方向の長さに短手方向の長さを乗じた平面積に対して、裏足の底面となる平坦面の面積の割合が２０％以下であることを特徴とする接着剤張り用タイル
【請求項２】
（Ｂ）タイルの裏足が平坦面を有しないことを特徴とする接着剤張り用タイル。
【請求項３】
（Ｃ）タイルの裏面の長手方向の長さに短手方向の長さを乗じた平面積に対して、裏足の底面となる平坦面の面積の割合が２０％以下であって、裏足の高さが０．３ｍｍ〜３ｍｍであることを特徴とする接着剤張り用タイル。
【請求項４】
請求項１乃至３からなる接着剤張り用タイルと（Ｃ）硬化後のＪＩＳ  Ｋ  ７１１３に規定するダンベル状２号形での伸び率が３０％以上である弾性接着剤を使用するタイル張り工法。
【発明の詳細な説明】
【技術分野】
【０００１】本発明は、下地の動きに容易に追従する弾性接着剤張りに適したタイル、当該タイルと弾性接着剤を用いる施工方法に関する。
【背景技術】
【０００２】従来、タイル施工は、一般にモルタルを用いて実施されていた。モルタル施工用のタイルは、裏面に、裏足を設け、隣接する裏足間の溝にモルタルが侵入して硬化することによる機械的な投錨効果で、高い接着強度を得ている。この裏足は、タイルの裏面に、一定の幅かつ一定の深さで、複数本平行に設けられている。【０００３】一方、モルタル施工に比べて作業効率が良く、工期の短縮が図れるなどの様々な利点から、近年、モルタル施工に代って有機系接着剤を用いてタイルを下地に接着する施工方法が普及しつつある。中でも変成シリコーン系やウレタン系等の弾性接着剤は下地の動きに接着剤が追従できるため、タイルの剥離・剥落防止にも効果的である。【０００４】しかしながら、従来タイルは、モルタルとの投錨効果を発揮させるため裏足の形状が直方体形状や裏足付け根より底面の方が広がるアリ形等で、底面は平坦面となっている。下地材に接着剤を塗布し、その後タイルを押し付けると、裏足底面の平坦面は下地材に押し付けられるため、裏足部の接着剤層は薄膜となり弾性接着剤の変形追従機能が十分に発揮されない。尚、当該従来タイルでは長手方向の長さに短手方向の長さを乗じた平面積に対して、裏足の底面となる平坦面の面積の割合は通常３０〜６０％程度である。【０００５】近年、戸建住宅建築ではサイディングボード等の下地材に接着剤を塗布して直接タイルを張り付ける工法が普及しているが、当該工法において、下地材間の目地部をまたいで張ったタイルでは、建築物の層間変位によって大きな下地の動きが発生するため、接着剤が追従できずに剥離することが多い。【０００６】この課題に対して工法面からは、不織布等を支持体としたブチルゴムテープからなるジョイントテープを下地材間の目地部に貼り、その上に接着剤を塗布する工法が提案され実施されている。この工法ではブチルゴムテープのクリープによって、硬化した接着剤層への応力を緩和させるため、より大きな変形に追従できる。（例えば非特許文献１参照）。
【非特許文献１】「２００３タイル総合カタログ」、ダントー株式会社、２００３年、ｐ．６８
【発明の開示】
【発明が解決しようとする課題】
【０００７】上記従来のジョイントテープ併用工法では、ジョイントテープの端部で硬化した弾性接着剤皮膜にかかる応力に差異が発生するため接着剤被膜が破壊しやすいという問題がある。更に、タイル間に目地剤を込めない工法においては、接着剤被膜が、意匠上目地を兼ねるが、ジョイントテープの端部付近にジョイントテープの厚みに相当する段差が発生し、タイル目地間において視認できるため意匠上好ましくない。また、直接下地材に接着剤を塗布する工法と比較して、ジョイントテープを貼るためコストと工程の延長を招く問題があった。【０００８】本発明は上記従来技術の問題点に鑑みてなされたものであり、その目的とするところは、ジョイントテープを用いない工法によって、動きのある下地に追従し、タイルの剥離を防止するタイルおよび接着工法を提供することである。
【課題を解決するための手段】
【０００９】（１）（Ａ）タイルの裏面の長手方向の長さに短手方向の長さを乗じた平面積に対して、裏足の底面となる平坦面の面積の割合が２０％以下であることを特徴とする接着剤張り用タイル。
（２）（Ｂ）タイルの裏足が平坦面を有しないことを特徴とする接着剤張り用タイル。
（３）（Ｃ）タイルの裏面の長手方向の長さに短手方向の長さを乗じた平面積に対して、裏足の底面となる平坦面の面積の割合が２０％以下であって、裏足の高さが０．３ｍｍ〜３ｍｍであることを特徴とする接着剤張り用タイル。
（４）（Ａ）乃至（Ｃ）からなる接着剤張り用タイルと（Ｄ）硬化後のＪＩＳ  Ｋ  ７１１３に規定するダンベル状２号形での伸び率が３０％以上である弾性接着剤を使用するタイル張り工法。
【発明の効果】
【００１０】本発明の弾性接着剤用タイルによれば、弾性接着剤の機能を生かすことができ、ジョイントテープを併用しなくても、動きのある下地に対して接着剤層が十分追従できるため、タイルの剥離や剥落を防止し、タイル接着力の長期耐久性を向上させる。また、本工法によれば、ジョイントテープを使用しないため、塗布した接着剤の段差を生じず外観上優れた仕上がりとなるばかりか、ジョイントテープ併用工法と比較してコスト低減や工期の短縮を可能とする。
【発明を実施するための最良の形態】
【００１１】以下、本発明の実施の形態を具体的に説明する。【００１２】図２に示す接着剤張り用タイル２０は、裏足の形状が台形柱状であり裏足の底面の平坦面の面積を小さくすることを特徴とする。本発明において、タイルの長手方向の長さに短手方向の長さを乗じた平面積に対して、裏足の底面となる平坦面の面積の割合は２０％以下である。２０％を超えると接着剤の薄膜層の比率が高く、追従性が低下する。【００１３】図３に示す接着剤張り用タイル３０は、裏足の形状が曲面であるため裏足底面としての平坦面をもたず、尾根線部のみが薄膜層となり、薄膜層の比率を著しく縮小できる。【００１４】図４に示す接着剤張り用タイル４０は、裏足の形状が三角柱状であるため裏足底面としての平坦面をもたず、尾根線部のみが薄膜層となり、薄膜層の比率を著しく縮小できる。【００１５】図５および図６に示す接着剤張り用タイル５０および６０は、更に裏足の長手方向を分割することで、タイルを接着剤に押し付けた際、タイル裏面で長手方向のみならず、短手方向へも接着剤が押し出されるため裏足間の凹部内に接着剤が充填されやすく空隙部の発生を抑制できる。タイル裏面の空隙部は接着力に寄与しないため、空隙部の発生の抑制は接着力向上に寄与する。【００１６】図７および図８に示す接着剤張り用タイル７０および８０は、裏足を球状曲面とすることで、頂点部または僅かな平坦面でのみ薄膜層が形成される。また、タイルを接着剤に押し付けた際の接着剤の押し出しが更に均等化でき、空隙部発生の抑制を更に改良できる。【００１７】本発明において裏足の高さは塗布する接着剤の厚みにより異なるが、実用上は０．３ｍｍ〜３ｍｍが好ましい。０．３ｍｍ未満では接着剤層の厚みが薄く、追従性が劣る。また、張り付けの際、接着剤が硬化するまでは、わずかな外力でタイルがずれ易くなり好ましくない。３ｍｍを超えると、溝内に空隙部が発生し易く接着面積が低下しやすい。また、溝内に充填するために、多量の接着剤が必要となり、コスト高にもなるので好ましくない。【００１８】本発明において、塗布する接着剤の厚みは限定されないが、タイル裏足の高さよりも接着剤層の厚みが薄い場合には、あらかじめ裏足間溝内に接着剤を塗布、充填しておくことにより一層本発明の効果を確実にすることができる。【００１９】本発明における溝および裏面周縁部の深さは一定である必要はなく、傾斜等が施されてもよい。【００２０】本発明の接着剤は硬化後のＪＩＳ  Ｋ  ７１１３に規定するダンベル状２号形での伸び率が３０％以上である弾性接着剤であることが好ましく、より好ましくは５０％以上である。３０％未満では、下地の変形に追従するための伸びとして十分でなく、本工法を以てしても接着剤層の破壊が発生しやすい。尚、主成分は、変成シリコーン系、ウレタン系が好ましいが、これらに限定されるものではない。
【図面の簡単な説明】
【００２１】図１は従来のタイルの代表例を示し、（イ）はタイル裏面の平面図、（ロ）は短手方向の側面図である。【００２２】図２〜図８は本発明の弾性接着剤張り用タイルの実施例を示し、（イ）はタイル裏面の平面図、（ロ）は短手方向の側面図である。
【符号の説明】
【００２３】１０・・・従来タイル
２０、３０、４０、５０、６０、７０、８０・・・弾性接着剤張り用タイル
１１、２１、３１、４１・・・溝
５１、６１、７１、８１・・・凹部
１２、２２、３２、４２、５２、６２、７２、８２・・・裏足
【図１】
2005113660.tif 000003
【図２】
2005113660.tif 000004
【図３】
2005113660.tif 000005
【図４】
2005113660.tif 000006
【図５】
2005113660.tif 000007
【図６】
2005113660.tif 000008
【図７】
2005113660.tif 000009
【図８】
2005113660.tif 000010